(57)【特許請求の範囲】
【請求項１】
伸縮式の建柱に取付けられる建柱取付け体と、この建柱取付け体に回転可能に設けた架台と、この架台に設けた首振り台と、この首振り台に俯角調整可能に設けられる俯角調整体と、この俯角調整体にモータベースを可動可能に枢着するとともに、この俯角調整体と、このモータベースとの間に設けたガススプリングと、このモータベースに設けたファンを軸支したモータで構成される折畳み式の首機構を備えた防霜ファン装置であって、
前記伸縮式の建柱が短くなり、前記ファンが地上に設けた誘導体で押圧されることで、前記ガススプリングは収縮可能であり、このガススプリングの収縮で、前記モータベースとファンの茶樹内への収容を可能とし、また、前記伸縮式の建柱が復帰し、前記ファンが地上に設けた誘導体による押圧より開放されることで、前記ガススプリングは復帰可能であり、このガススプリングの復帰で、前記モータベースとファンの俯角位置への復帰を可能とすることを特徴とした折畳み式の首機構を備えた防霜ファン装置。
【請求項２】
請求項１に記載の折畳み式の首機構を備えた防霜ファン装置であって、
前記モータベースと、俯角調整体との間にガススプリングを付設し、このガススプリングの復帰で、このモータベースが設定された俯角まで起立する構成とした折畳み式の首機構を備えた防霜ファン装置。
【請求項３】
請求項１に記載の折畳み式の首機構を備えた防霜ファン装置であって、
前記首振り台に前記俯角調整体を枢着し、この首振り台に緊締可能に設けた止め具を、前記俯角調整体に設けた環状ガイド溝に沿って移動可能に設ける構成とした折畳み式の首機構を備えた防霜ファン装置。
【請求項４】
請求項１に記載の折畳み式の首機構を備えた防霜ファン装置であって、
前記俯角調整体に、前記モータベースを枢着し、このモータベースに固止した止め具を、前記俯角調整体に設けた環状ガイド溝に沿って移動可能に設ける構成とした折畳み式の首機構を備えた防霜ファン装置。
【発明の詳細な説明】
【技術分野】
【０００１】
本発明は、茶園における機械化、省人化等の面から、茶刈機、防除機（陸上、空中の防除機）等の茶園管理装置が普及したことに鑑み、この茶園管理装置の使用に障害がない手動で操作できる折畳み式の首機構を備えた防霜ファン装置に関する。
【背景技術】
【０００２】
周知の如く、茶園の機械化、省人化等の面から、茶園管理装置が採用されるようになった。これに伴って、現在の建柱・架線を利用した防霜ファン装置の弊害が指摘されている。即ち、茶園、又は茶樹等の圃場に建柱が立設され、この建柱に向かって張装された架線等が、茶園管理装置の移動、作業の際に邪魔となり、摘採、摘枝、防除等の作業が効率的に行えないことが間々生ずること、またこの建柱及びこの建柱上の防霜ファン装置が、景観上で弊害となっていること、等が問題視されている。
【０００３】
そして、問題解消の一環として、本出願人は、低所型の茶園用防霜ファン装置を数件提案している。その一例を概要すると、茶園に埋設した支持部に建柱（支柱）を起伏自在に設け、建柱を起立した状態で、防霜ファンを茶樹上に上昇させて防霜を図り、又建柱を収縮した状態で、防霜ファンを横倒し、防霜ファンを茶樹内に収容する構成である。しかし、この起伏自在の建柱を利用して、防霜ファンを茶樹内に収容するためには、防霜ファンガードが茶樹の高さより、低い状態で収容することが必要となるので、地中にピットを作り、このピットを利用し、防霜ファンを起立した状態で収容する構成、又はピットを作らず防霜ファンを折畳んで（伏して）収容する構成が考えられる。このピットを利用して収容する構成は、手間を要すること、又は防霜ファン駆動用のモータがピットに溜まった雨水中に浸かること等の弊害がある。また防霜ファンを折畳んで収容する構成は、その折畳み方向がこの防霜ファン駆動用のモータ側であるときは、モータが地面に溜まった雨水中に浸かること等の弊害がある。
【０００４】
このような問題点の解決策として、文献（１）と文献（２）とが挙げられるので、その概要を説明する。文献（１）は、特開平１０−１１３０７６の「防霜ファン」である。その概要は、伸縮式のポールの先端に支持部を設け、この支持部に送風機本体に固定された連結部材を首振り及び俯仰調節可能に支持するとともに、この支持部のアーム部と連結部材とで首折り機構を設ける。そのファンの収容時にポールを縮小状態にするとともに、ファンの前面が真下に向くように送風機本体の姿勢を変え、防霜ファン全体が茶畝に収容される構成であり、茶園管理装置の運転の邪魔にならない位置に収容可能としたこと、又は首折り機構と俯仰調節機構を兼用することで、容易な操作を確保すること及び／又は構成の簡素化、低コスト化等を意図すること等を特徴とする。また文献（２）は、特開平１０−３２３１３０の「植物保護用送風装置」である。その概要は、上部支柱の上方に送風機を備えた植物保護用送風装置で、下部支柱を土中に埋設し、上部支柱を下部支柱内でねじ棒によって上下方向に摺動可能に収容配置し、この送風機を上部支柱起倒可能に取付け、当該送風機の前方を地面に略水平に収容可能とした構成であり、茶刈り作業時に自動茶刈り機の邪魔にならず、かつ、取付け作業が容易な植物保護用送風装置を提供すること、又は支持腕に支軸を介して送風機が起倒可能に取付けられているので、構成の簡素化、低コスト化等を意図すること等を特徴とする。
【０００５】
【特許文献１】特開平１０−１１３０７６
【特許文献２】特開平１０−３２３１３０
【発明の開示】
【発明が解決しようとする課題】
【０００６】
前述した文献（１）、（２）は地面にピットを設ける必要がないので、有効性（有益性）を備えている。しかし、防霜ファンの収容時において、この防霜ファンの折畳み及び／又はこの折畳み後における使用の際における防霜ファンの起立等（折畳み・起立とする）に関する具体的な記述と、その機構が開示されていない。従って、この防霜ファンの折畳み等は、手動及び／又は止め具の弛緩・緊締用の工具を利用して行うものと考えられる。
【０００７】
以上のように、防霜ファンの折畳み等は、手動及び／又は工具を利用する構成であり、手間を要すること、圃場の全ての防霜ファンを折畳むのに大変な手間を要すること等の問題がある。そして、特に問題となるのに、傾斜地の圃場（傾斜圃場）、高所の圃場（高所圃場）等の悪条件の場合における作業は、極めて大変であること、危険であること等が考えられる。
【０００８】
またこの文献（１）における首振り機構は、長い帯板の連結部材２８を併設した構成を採用し、この連結部材２８で俯角状態の防霜ファンを支持する構成である。従って、強度の確保と、安定性に問題を残すことが考えられる。また文献（２）における首振り機構は、説明及び／又は図番等による説明がなく判然としないが、構成は前記文献（１）に類似すると考えられるので、同様な問題を抱えている。
【０００９】
上記に鑑み、本発明は、防霜ファンの折畳み・起立を、手動及び／又は工具を利用しなくて行うことで、望ましくは自動的に、かつ確実に行うことを意図し、また防霜ファンの折畳み・起立を、略全ての圃場と、気候等の悪条件下の如く、作業の困難な状況でも、安心して行えること、自動的に、かつ望ましくはワンタッチで行うことを意図する。さらに他の機構の防霜ファンとの部品の共通化を図ることで、製造の簡略化、効率化及び／又は低コスト化を図ること、また製造及び／又は組付け作業の容易化、迅速化を図ること等を意図する。
【課題を解決するための手段】
【００１０】
請求項１の発明は、防霜ファンの折畳み・起立を、手動で行えること及び／又は工具なしで行えることであり、望ましくは自動的に、かつ確実に行うこと、また防霜ファンの折畳み・起立を、略全ての圃場と、悪条件の気候下における作業の困難な状況でも、安心して行えること、自動的に、かつ望ましくはワンタッチで行うことを意図する。さらに請求項１の発明は、他の機構の防霜ファンとの部品の共通化を図ることで、製造の簡略化、効率化及び／又は低コスト化を図ること、また製造及び／又は組付け作業の容易化、迅速化を図ること等を意図する。また請求項１の発明は、防霜ファンを架台、首振り台、また俯角調整体、並びにモータベースを利用して支持する構成を採用し、俯角状態の防霜ファンを確実かつ安定して支持することを意図する。
【００１１】
請求項１は、伸縮式の建柱に取付けられる建柱取付け体と、この建柱取付け体に回転可能に設けた架台と、この架台に設けた首振り台と、この首振り台に俯角調整可能に設けられる俯角調整体と、この俯角調整体にモータベースを可動可能に枢着するとともに、この俯角調整体と、このモータベースとの間に設けたガススプリングと、このモータベースに設けたファンを軸支したモータで構成される折畳み式の首機構を備えた防霜ファン装置であって、
前記伸縮式の建柱が短くなり、前記ファンが地上に設けた誘導体で押圧されることで、前記ガススプリングは収縮可能であり、このガススプリングの収縮で、前記モータベースとファンの茶樹内への収容を可能とし、また、前記伸縮式の建柱が復帰し、前記ファンが地上に設けた誘導体による押圧より開放されることで、前記ガススプリングは復帰可能であり、このガススプリングの復帰で、前記モータベースとファンの俯角位置への復帰を可能とすることを特徴とした折畳み式の首機構を備えた防霜ファン装置。
【００１２】
請求項２の発明は、請求項１の目的を達成し、この目的を達成するのに最適な防霜ファンの手動で起伏可能な構造を提案することを意図する。
【００１３】
請求項２は、請求項１に記載の折畳み式の首機構を備えた防霜ファン装置であって、
前記モータベースと、俯角調整体との間にガススプリングを付設し、このガススプリングの復帰で、このモータベースが設定された俯角まで起立する構成とした折畳み式の首機構を備えた防霜ファン装置である。
【００１４】
請求項３の発明は、請求項１の目的を達成し、この目的を達成するのに最適な防霜ファンの首振り台と俯角調整体の構造を提案することを意図する。
【００１５】
請求項３は、請求項１に記載の折畳み式の首機構を備えた防霜ファン装置であって、
前記首振り台に前記俯角調整体を枢着し、この首振り台に緊締可能に設けた止め具を、前記俯角調整体に設けた環状ガイド溝に沿って移動可能に設ける構成とした折畳み式の首機構を備えた防霜ファン装置である。
【００１６】
請求項４の発明は、請求項１の目的を達成し、この目的を達成するのに最適な防霜ファンの俯角調整体とモータベースの構造を提案することを意図する。
【００１７】
請求項４は、請求項１に記載の折畳み式の首機構を備えた防霜ファン装置であって、
前記俯角調整体に、前記モータベースを枢着し、このモータベースに固止した止め具を、前記俯角調整体に設けた環状ガイド溝に沿って移動可能に設ける構成とした折畳み式の首機構を備えた防霜ファン装置である。
【発明の効果】
【００１８】
請求項１の発明は、伸縮式の建柱に取付けられる建柱取付け体と、建柱取付け体に回転可能に設けた架台と、架台に設けた首振り台と、首振り台に俯角調整可能に設けられる俯角調整体と、俯角調整体にモータベースを可動可能に枢着するとともに、俯角調整体と、このモータベースとの間に設けたガススプリングと、モータベースに設けたファンを軸支したモータで構成される折畳み式の首機構を備えた防霜ファン装置であって、
伸縮式の建柱が短くなり、ファンが地上に設けた誘導体で押圧されることで、ガススプリングは収縮可能であり、ガススプリングの収縮で、モータベースとファンの茶樹内への収容を可能とし、また、伸縮式の建柱が復帰し、ファンが地上に設けた誘導体による押圧より開放されることで、ガススプリングは復帰可能であり、ガススプリングの復帰で、モータベースとファンの俯角位置への復帰を可能とすることを特徴とした折畳み式の首機構を備えた防霜ファン装置である。
【００１９】
従って、請求項１は、防霜ファンの折畳み・起立を、手動で行えること及び／又は工具なしで行えることであり、望ましくは自動的に、かつ確実に行えること、また防霜ファンの折畳み・起立を、略全ての圃場と、悪条件の気候下における作業の困難な状況でも、安心して行えること、自動的に、かつ望ましくはワンタッチで行えること等の特徴を有する。さらに請求項１の発明は、他の機構の防霜ファンとの部品の共通化を図ることで、製造の簡略化、効率化及び／又は低コスト化を図ること、また製造及び／又は組付け作業の容易化、迅速化を図ること等を意図する。また請求項１の発明は、防霜ファンを架台、首振り台、また俯角調整体、並びにモータベースを利用して支持する構成を採用し、俯角状態の防霜ファンを確実かつ安定して支持することを意図する。
【００２０】
請求項２の発明は、請求項１に記載の折畳み式の首機構を備えた防霜ファン装置であって、
モータベースと、俯角調整体との間にガススプリングを付設し、ガススプリングの復帰で、モータベースが設定された俯角まで起立する構成とした折畳み式の首機構を備えた防霜ファン装置である。
【００２１】
従って、請求項２は、請求項１の目的を達成できること、この目的を達成するのに最適な防霜ファンの手動で起伏可能な構造を提案できること等の特徴がある。
【００２２】
請求項３の発明は、請求項１に記載の折畳み式の首機構を備えた防霜ファン装置であって、
首振り台に前記俯角調整体を枢着し、首振り台に緊締可能に設けた止め具を、俯角調整体に設けた環状ガイド溝に沿って移動可能に設ける構成とした折畳み式の首機構を備えた防霜ファン装置である。
【００２３】
従って、請求項３は、請求項１の目的を達成できること、この目的を達成するのに最適な防霜ファンの首振り台と俯角調整体の構造を提案できること等の特徴がある。
【００２４】
請求項４の発明は、請求項１に記載の折畳み式の首機構を備えた防霜ファン装置であって、
俯角調整体に、モータベースを枢着し、モータベースに固止した止め具を、俯角調整体に設けた環状ガイド溝に沿って移動可能に設ける構成とした折畳み式の首機構を備えた防霜ファン装置である。
【００２５】
従って、請求項４は、請求項１の目的を達成できること、この目的を達成するのに最適な防霜ファンの俯角調整体とモータベースの構造を提案できること等の特徴がある。
【発明を実施するための最良の形態】
【００２６】
本発明の一例を説明する。
【００２７】
図面の説明をすると、図１は防霜ファンを建柱上に設置し、所定の俯角で防霜する状態を説明する側面図、図２は防霜ファンを収縮した建柱とともに地面に向かって所定の角度で伏した収容状態を説明する側面図、図３−１は図１の全体図、図３−２は図１の状態から建柱の一部を差し入れた状態の全体図、図３−３はさらに建柱の一部を差し入れた状態の全体図、図３−４は図２の全体図である。
【００２８】
以下、本発明の好ましい一例を説明すると、１は伸縮式の建柱で、この例では三分割（一例である）された入れ子式の構造である。そして、この建柱１の伸縮は、機械的な構造、シリンダー機構、ワイヤ構造等があり限定されない。この建柱１の偏倚側の最上端１ａには、略鞍形の建柱取付け体２を設ける。そして、この建柱取付け体２には筒体３が立設されており、この筒体３は建柱１の中心線に対して偏倚して設ける構成であり、この建柱１の軸心と防霜ファン等の重心とのバランスを確保することを意図する。
【００２９】
５は前記建柱取付け体２の筒体３に被嵌される取付け筒５０を備えた架台で、この架台５の本体部５１は建柱側に突出した形状を呈しており、この本体部５１の先部（防霜ファン側）に連結部７を設ける。この連結部７は架台５に内蔵した駆動機構で旋回する構成である。所謂、水平方向への首振り動作をする構成である。そして、この連結部７には首振り台８が設けられており、この首振り台８は連結部７と同時に旋回する。この首振り台８の先端部に設けた枢軸１０を介して側面視して略台形状の俯角調整体１１が可動自在に枢支されており、この俯角調整体１１の後部（反防霜ファン側）に側面視して円弧状の切り溝１１００が設けられており、この切り溝１１００には首振り台８に螺着した調整用止具１２が挿嵌されている。この調整用止具１２の螺戻で、枢軸１０を支点として俯角調整体１１を可動し（この可動は、切り溝１１００をガイドとする）、この可動後に調整用止具１２を螺入することで、この俯角調整体１１が所定の俯角に調整される。
【００３０】
またこの俯角調整体１１の上端にはモータベース１４が枢軸１５を介して可動自在に設けられている。またこの俯角調整体１１には側面視して円弧状の切り溝１１０１が設けられており、この切り溝１１０１にはガススプリング１６の可動側の他端１６ｂが挿嵌されており、この他端１６ｂに前記切り溝１１０１に沿って可動する構成である。またガススプリング１６の一端１６ａは、この俯角調整体１１の下端に枢支されており、この枢支箇所を中心とし、このガススプリング１６が収縮する過程で、当該ガススプリング１６は可動する。従って、例えば、図３−１〜図３−４に示した如く、建柱１の一部位（最上の建柱１から随時）を降下し、この建柱１及び／又は防霜ファン３０を茶樹Ｈ内に収容を図る過程で、この防霜ファン３０が地面Ｇに設けられた誘導体Ｇ１で押圧される状態となった場合に、例えば、図３−３から図３−４の過程において、防霜ファン３０に対する誘導体Ｇ１での押圧により、ガススプリング１６が押圧されながら、このガススプリング１６が収縮される。この収縮する過程で、このガススプリング１６の他端１６ｂが、切り溝１１０１に沿って逃げる。この逃げる動作によりモータベース１４の可動を可能とする。そして、このモータベース１４の可動は枢軸１５を軸とすることで可能となる。即ち、建柱１の収縮（収容）状態で、防霜ファン３０を茶樹Ｈ内に収容する（伏する）場合は、ガススプリング１６の収縮と、このガススプリング１６の他端１６ｂの逃げを利用することで、自動的かつ工具を必要とせず、極めて正確で静かに、またワンタッチの動作で行える特徴がある。尚、防霜ファン３０を収容状態より、建柱１の伸張と、防霜ファン３０の俯角位置への復帰（防霜状態又は起立状態）をする場合は、建柱１が伸張し（最上の建柱１が伸張し）、防霜ファン３０に対する押圧が解除されると、ガススプリング１６に対する押圧も解除される。これによりガススプリング１６が復帰し、順次伸張することで、他端１６ｂが切り溝１１０１の下端から上端に向かって移動しながら、モータベース１４を上昇する。このモータベース１４の上昇を介して防霜ファン３０が俯角位置に復帰する構成であり、前述の建柱１及び／又は防霜ファン３０の収容の動作と、略逆の操作となる。またこの建柱１及び／又は防霜ファン３０の復帰の特徴は、前述の例に準ずる。尚、前記ガススプリング１６は一例であり、同様な作用をするシリンダー、その他の機構でも可能である。
【００３１】
前記防霜ファン３０は、モータベース１４に固止したモータ３１の図示しない出力軸に固止されており、ファン（羽根）３０００とガード３００１で構成する。
【００３２】
尚、防霜ファン３０の防霜効果等は従来例に準ずる。
【図面の簡単な説明】
【００３３】
【図１】図１は防霜ファンを建柱上に設置し、所定の俯角で防霜する状態を説明する    側面図
【図２】図２は防霜ファンを収縮した建柱とともに地面に向かって所定の角度で伏し    た収容状態を説明する側面図
【図３−１】図３−１は図１の全体図
【図３−２】図３−２は図１の状態から建柱の一部を差し入れた状態の全体図
【図３−３】図３−３はさらに建柱の一部を差し入れた状態の全体図
【図３−４】図３−４は図２の全体図
【符号の説明】
【００３４】
１              建柱
１ａ            最上端
２              建柱取付け体
３              筒体
５              架台
５０            取付け筒
５１            本体部
７              連結部
８              首振り台
１０            枢軸
１１            俯角調整体
１１００        切り溝
１１０１        切り溝
１２            調整用止具
１４            モータベース
１５            枢軸
１６            ガススプリング
１６ａ          一端
１６ｂ          他端
３０            防霜ファン
３０００        ファン
３００１        ガード
３１            モータ
Ｇ              地面
Ｇ１            誘導体
Ｈ              茶樹
【図１】
0004744206.tif 000002
【図２】
0004744206.tif 000003
【図３−１】
0004744206.tif 000004
【図３−２】
0004744206.tif 000005
【図３−３】
0004744206.tif 000006
【図３−４】
0004744206.tif 000007